(57)【要約】【課題】執務空間におけるカート装置の設置面積を最小限としつつ、安定性に優れ、執務者の使い勝手を良好とするカート装置を提供する。【解決手段】カート装置１は、床面Ｆ上を走行可能な複数のキャスター２１が前後方向に異なる複数の位置で設けられたベース部２と、ベース部２に設けられた支持部３と、支持部３に支持された天板４と、天板４又は支持部３から後方に突設した把持可能な操作ハンドル部５とを備え、キャスター２１のうち最前方に位置する最前方キャスター１２１は、平面視して天板４の最前端より後方に設けられ、キャスター２１のうち最後方に位置する最後方キャスター１２２は、平面視して天板４の最後端より後方に設けられていることを特徴とする。【選択図】図１
2013017700.tif 000002
【特許請求の範囲】
【請求項１】
床面上を走行可能な複数のキャスターが前後方向に異なる複数の位置で設けられたベース部と、
該ベース部に設けられた支持部と、
該支持部に支持された天板と、
該天板又は前記支持部から後方に突設した把持可能な操作ハンドル部とを備え、
前記キャスターのうち最前方に位置する最前方キャスターは、平面視して前記天板の最前端より後方に設けられ、前記キャスターのうち最後方に位置する最後方キャスターは、平面視して前記天板の最後端より後方に設けられていることを特徴とするカート装置。
【請求項２】
請求項１に記載のカート装置において、
前記最後方キャスターは前記操作ハンドル部の直下に配設されていることを特徴とするカート装置。
【請求項３】
請求項１または請求項２に記載のカート装置において、
前記最前方キャスターが前記支持部のベース部取付位置より前方に配設されていることを特徴とするカート装置。
【請求項４】
請求項１から請求項３のいずれか一項に記載のカート装置において、
前記支持部のベース部取付位置は、平面視して前記最前方キャスターと前記最後方キャスターとの前後方向の中間となる位置より前方に配設されていることを特徴とするカート装置。
【請求項５】
請求項１から請求項４のいずれか一項に記載のカート装置において、
前記最前方キャスターの最前端を前記天板の最前端より後方に配設可能であることを特徴とするカート装置。
【請求項６】
請求項１から請求項５のいずれか一項に記載のカート装置において、
前記最前方キャスター及び前記最後方キャスターは、平面視して前記天板の左右方向内側に配設されていることを特徴とするカート装置。
【請求項７】
請求項１から請求項６のいずれか一項に記載のカート装置において、
前記支持部は、前記ベース部から上方に向かって立設された支持基本と、
該支持基体に取り付けられ前記天板を支持する天板支持部とを有し、
該天板支持部は、前記支持基体に側面視して片持ち状に取り付けられ、該支持基体から上方に向かうに従って後方へと配される第一支持部と、
該第一支持部の左右両側でそれぞれ側面視して片持ち状に取り付けられて前方へと配される第二支持部とを有し、
前記天板及び前記第二支持部と前記第一支持部とに囲まれるようにして、前方、左方及び右方に連続して開口する前部空間が形成されていることを特徴とするカート装置。
【請求項８】
請求項１から請求項７のいずれか一項に記載のカート装置において、
前記ベース部は、前記支持基体の下方より前方に向かって取り付けられた左右一対の前部脚杆と、
前記支持基体の下方より後方に向かって取り付けられた左右一対の後部脚杆とを備え、
前記キャスターが前記前部脚杆と前記後部脚杆のそれぞれの先端に設けられていることを特徴とするカート装置。
【請求項９】
請求項８に記載のカート装置において、
前記左右一対の前部脚杆は、前記支持基体の下方からそれぞれ左右に向かうに従って前方に張り出すように設けられていることを特徴とするカート装置。
【発明の詳細な説明】
【技術分野】
【０００１】
本発明は、カート装置、特にオフィス、病院、又は公共施設等における執務空間にて使用されるカートとして好適なカート装置に関するものである。
【背景技術】
【０００２】
従来、オフィス、病院、公共施設等における執務空間においては、執務空間内の様々な場所に移動しながら電子機器を用いて執務を行う場合がある。この場合、カート装置の天板上に電子機器を載置し、執務者がカート装置と共に移動し、随時必要に応じた場所にて執務が行われていた。
ここで、多人数の執務者が、各々のカート装置を用いて執務を行う場合には、カート装置の面積及び台数に応じた収納場所が必要となる。また、カート装置に電子機器を載置した状態で、電子機器への充電を行う場合には、電源周辺に複数のカート装置が集中して配置されるので、電源周辺エリアが煩雑になってしまうという状況があった。
そこで、カート装置の天板下方において、移動方向の前方、左方、及び右方の空間が連続して開放され、その空間部分に前方より後方に向かってテーブル什器の天板の挿入を可能とするカート装置が採用されている（例えば、下記特許文献１、２、３参照）。これにより、カート装置の天板の下方にテーブル什器の天板が重合して配設されるので、全体として設置面積を小さくしつつ、かつ重合した状態で電子機器の使用が可能である。
【先行技術文献】
【特許文献】
【０００３】
【特許文献１】特開２００８−０１７９２９号公報
【特許文献２】特開２００９−２７９４１４号公報
【特許文献３】特開２０１０−１０４５７３号公報
【発明の概要】
【発明が解決しようとする課題】
【０００４】
しかしながら、前述のカート装置（例えば、特許文献１、２、３参照）では、カート装置の後端部の直下にキャスターが配設され、又カート装置の後端部の直上に操作ハンドル部がそれぞれ配設されている。したがって、操作ハンドル部に執務者による操作力が加わると、カート装置のバランスが崩れ、転倒する恐れがあるという問題があった。
【０００５】
本発明は、前述の従来技術における問題を解決するために、執務空間におけるカート装置の設置面積を最小限としつつ、安定性に優れ、執務者の使い勝手を良好とするカート装置を提供することを目的とするものである。
【課題を解決するための手段】
【０００６】
上記目的を達成するために、本発明は以下の手段を採用している。
すなわち、本発明に係るカート装置は、床面上を走行可能な複数のキャスターが前後方向に異なる複数の位置で設けられたベース部と、該ベース部に設けられた支持部と、該支持部に支持された天板と、該天板又は前記支持部から後方に突設した把持可能な操作ハンドル部とを備え、前記キャスターのうち最前方に位置する最前方キャスターは、平面視して前記天板の最前端より後方に設けられ、前記キャスターのうち最後方に位置する最後方キャスターは、平面視して前記天板の最後端より後方に設けられていることを特徴とする。
【０００７】
この構成では、最前方キャスターは平面視して天板の最前端より後方に設けられ、最後方キャスターは平面視して天板の最後端より後方にも設けられている。よって、操作ハンドル部に執務者の操作力が加わっても、最前方キャスターが天板の最前端の直下又は前方に設けられている場合、又は最後方キャスターが天板の最後端の直下又は前方に設けられている場合よりも、カート装置の安定性を向上させ、転倒の恐れがない。
【０００８】
また、本発明に係るカート装置は、前記最後方キャスターは前記操作ハンドル部の直下に配設されていることを特徴とする。
【０００９】
この構成では、操作ハンドル部の直下に最後方キャスターが配設されているので、最後方キャスターが操作ハンドル部の直下より前方に配設されている場合よりも、カート装置の安定性を向上させ、転倒の恐れがない。特に、操作ハンドル部に下向きの荷重が加わったとしても、操作ハンドル部の直下にある最後方キャスターによって、確実に転倒を防止できる。
【００１０】
また、本発明に係るカート装置は、前記最前方キャスターが前記支持部のベース部取付位置より前方に配設されていることを特徴とする。
【００１１】
この構成では、天板に鉛直方向に作用した荷重を支持部が支持し、支持部に伝達された荷重をベース部が支持し、ベース部に伝達された荷重を複数のキャスターが支持することとなる。ここで、最前方キャスターがベース部取付位置より前方に配設されているので、ベース部に伝達された荷重を前後両側のキャスターで負担することとなるため、カート装置の安定性を向上させることができる。
【００１２】
また、本発明に係るカート装置は、前記支持部のベース部取付位置は、平面視して前記最前方キャスターと前記最後方キャスターとの前後方向の中間となる位置より前方に配設されていることを特徴とする。
【００１３】
この構成では、ベース部取付位置が、平面視して最前方キャスターと最後方キャスターの前後方向中間となる位置より前方に配設されているので、操作ハンドル部に加えられた荷重をカート装置の下部にて安定的に支持することができる。
また、ベース部取付位置が、平面視して最前方キャスターと最後方キャスターの前後方向中間となる位置より前方に配設されているので、カート装置の後方にて執務をする執務者の空間を大きく確保し、執務者の使い勝手を良好にすることができる。
【００１４】
また、本発明に係るカート装置は、前記最前方キャスターの最前端を前記天板の最前端より後方に配設可能であることを特徴とする。
【００１５】
この構成では、カート装置を壁に面して設置する場合に、最前方キャスターを天板の最前端より後方に配設することで、壁と天板との間に間隙を有することなく設置することができる。よって、カート装置を壁に沿ってコンパクトに配置できる。
【００１６】
また、本発明に係るカート装置は、前記最前方キャスター及び前記最後方キャスターは、平面視して前記天板の左右方向内側に配設されていることを特徴とする。
【００１７】
この構成では、カート装置を横並びにして複数台設置する場合に、最前方キャスター及び最後方キャスターは、平面視して天板の左右方向内側に配設されているので、隣接するカート装置との間に間隙を有することなく設置することができる。よって、複数のカート装置をコンパクトに配置できる。
【００１８】
また、本発明に係るカート装置は、前記支持部は、前記ベース部から上方に向かって立設された支持基本と、該支持基体に取り付けられ前記天板を支持する天板支持部とを有し、該天板支持部は、前記支持基体に側面視して片持ち状に取り付けられ、該支持基体から上方に向かうに従って後方へと配される第一支持部と、該第一支持部の左右両側でそれぞれ側面視して片持ち状に取り付けられて前方へと配される第二支持部とを有し、前記天板及び前記第二支持部と前記第一支持部とに囲まれるようにして、前方、左方及び右方に連続して開口する前部空間が形成されていることを特徴とする。
【００１９】
この構成では、天板下方に設けられて前方、左方及び右方に連続して開口する前部空間に、テーブル什器の天板を配設することができるので、カート装置及びテーブル什器の設置面積を最小限にすることが可能となる。
【００２０】
また、本発明に係るカート装置は、前記ベース部は、前記支持基体の下方より前方に向かって取り付けられた左右一対の前部脚杆と、前記支持基体の下方より後方に向かって取り付けられた左右一対の後部脚杆とを備え、前記キャスターが前記前部脚杆と前記後部脚杆のそれぞれの先端に設けられていることを特徴とする。
【００２１】
この構成では、左右一対の後部脚杆は、支持基体の下方より後方に向かって取り付けられているので、カート装置の後方にて執務をする執務者の空間を有効に確保し、執務者の使い勝手を良好にすることができる。
また、左右一対の前部脚杆は、支持基体の下方より前方に向かって取り付けられている。よって、カート装置の天板の下に、テーブル什器の天板を配設する場合に、前部脚杆とテーブル什器の床に面する台座部又は脚部を干渉させることなく配設することが可能である。
【００２２】
また、本発明に係るカート装置は、前記左右一対の前部脚杆は、前記支持基体の下方からそれぞれ左右に向かうに従って前方に張り出すように設けられていることを特徴とする。
【００２３】
この構成では、カート装置の天板の下に、テーブル什器の天板を配設する場合に、テーブル什器の床に面する台座部の外周面が平面視して円弧状でも、カート装置の最前方キャスター及び前部脚杆とテーブル什器の台座部を干渉させることなく配設することが可能である。よって、カート装置及びテーブル什器の設置面積を最小限にすることが可能となる。
【発明の効果】
【００２４】
本発明に係るカート装置によれば、執務空間におけるカート装置の設置面積を最小限としつつ、安定性に優れ、執務者の使い勝手を良好とすることができる。
【図面の簡単な説明】
【００２５】
【図１】本発明の一実施形態に係るカート装置の概略図である。
【図２】本発明の一実施形態に係るカート装置の支持部（第一支持部、第二支持部、第三支持部並びに支持基体）、及び操作ハンドル部の部分を示す平面図である。
【図３】本発明の一実施形態に係るカート装置のベース部（前部脚杆、後部脚杆、並びにキャスター）及び支持基体の部分を示す平面図である。
【図４】本発明の一実施形態に係るカート装置の側面図である。
【図５】本発明の一実施形態に係るカート装置の正面図である。
【図６】本発明の一実施形態に係るカート装置とテーブル什器とを組み合わせて使用した際の概略図である。
【図７】本発明の一実施形態に係るカート装置とテーブル什器とを組み合わせて使用した際の概略図である。
【図８】本発明の一実施形態に係るカート装置とテーブル什器とを組み合わせて使用した際の平面図である。
【発明を実施するための形態】
【００２６】
以下、本発明の一実施形態に係るカート装置１について、図面を参照して説明する。
（全体構成）
図１乃至図３に示すように、本発明に係るカート装置１は、床面Ｆ上を走行可能なキャスター２１が設けられたベース部２と、ベース部２に設けられた支持部３と、支持部３に支持された天板４と、支持部３に設けられた把持可能な操作ハンドル部５と、を備えている。執務者は、天板４上に載置した電子機器を使用可能であるとともに、操作ハンドル部５を把持して操作力を与えることでキャスター２１により床面Ｆ上でカート装置１を移動させることが可能となっている。ここで、執務者が操作ハンドル部５と対向するように位置して操作ハンドル部５を押し引きする方向となる図２の紙面上下方向をカート装置１の前後方向Ｙとし、操作ハンドル部５を押す側となる紙面上側をカート装置１の「前方」、操作ハンドル部５を引く側となる紙面下側をカート装置１の「後方」と称する。また、平面視して前後方向Ｙと直交する方向となる図２の紙面左右方向をカート装置１の左右方向Ｘとし、紙面右側をカート装置１の「右側」、紙面左側をカート装置１の「左側」と称する。
以下、各構成の詳細を説明する。
【００２７】
（支持部３の構成）
支持部３は、ベース部２に設けられ、上端にて天板４の裏面に固定されている。また、支持部３は、ベース部２から上方に向かって立設された支持基体３１と、支持基体３１に取り付けられ天板４を支持する天板支持部３２と、を備える。
【００２８】
（天板支持部３２の構成）
天板支持部３２は、支持基体３１に側面視して片持ち状に取り付けられ、支持基体３１から上方に向かうに従って後方へと配される第一支持部１３１と、第一支持部１３１の左右両側でそれぞれ側面視して片持ち状に支持されて前方へと配される第二支持部１３２と、第一支持部１３１の上端に取り付けられるとともに、上端に第二支持部１３２が取り付けられた第三支持部１３３と、を備える。
【００２９】
（第一支持部１３１、第三支持部１３３の構成）
第一支持部１３１は、支持基体３１の上端より、上方に向かうに従って右側後方へと配される右側第一支持部１３１Ｒと、上方に向かうに従って左側後方へと配される左側第一支持部１３１Ｌと、を備える。図４に示すように、第一支持部１３１は、支持基体３１の上端より水平方向に対して緩やかな角度で後方に向かうに従って上方に向かうように傾斜して配されている。また、第三支持部１３３は、右側第一支持部１３１Ｒの上端から折れ曲がるようにして立設された右側第三支持部１３３Ｒと、左側第一支持部１３１Ｌの上端から折れ曲がるようにして立設された左側第三支持部１３３Ｌと、を備える。そして、右側第三支持部１３３Ｒ、左側第三支持部１３３Ｌは、それぞれ天板４の後側において、左右縁部よりも内側となる位置にて第二支持部１３２と固定されている。
【００３０】
（第二支持部１３２の構成）
第二支持部１３２は、平面視して、右側第三支持部１３３Ｒの上端から前後方向Ｙに沿って前方に延設される右側第二支持部１３２Ｒと、左側第三支持部１３３Ｌの上端から前後方向Ｙに沿って前方に延設される左側第二支持部１３２Ｌと、を備える。そして、右側第二支持部１３２Ｒ及び左側第二支持部１３２Ｌは、上面にて天板４を支持している。
【００３１】
（天板４の構成）
天板４は、平面視で略矩形をなし、上面は電子機器等の物品の載置が可能であり、下面にて右側第二支持部１３２Ｒ及び左側第二支持部１３２Ｌに支持されている。そして、図４に示すように、天板４、右側第二支持部１３２Ｒ、左側第二支持部１３２Ｌ、右側第三支持部１３３Ｒ、左側第三支持部１３３Ｌ、右側第一支持部１３１Ｒ、及び左側第一支持部１３１Ｌとに囲まれるようにして、前方、左方及び右方に連続して開口する前部空間９が形成されている。
【００３２】
（操作ハンドル部５の構成）
操作ハンドル部５は、右側第二支持部１３２Ｒの右側面、左側第二支持部１３２Ｌの左側面に取り付けられて後方へと突出した一対のハンドル支持部５１Ｒ、５１Ｌと、ハンドル支持部５１Ｒ、５１Ｌの後端間に左右方向Ｘに沿って配設された把持部５２と、を有する。ハンドル支持部５１Ｒ、５１Ｌは、後方に向かうに従って下方に向かうように傾斜して配されており、後端に設けられた把持部５２は前方視して、天板４の下面との間に上下方向に隙間を有して配されている。また、把持部５２は、両端部から中央部に向かうに従って後方に膨らむように湾曲形状を成している。また、把持部５２は、円形状の断面に形成されている。
【００３３】
（ベース部２の構成）
ベース部２は、支持部３の支持基体３１の下方より前方に向かって取り付けられた左右一対の前部脚杆１２３と、支持基体３１の下方より後方に向かって取り付けられた左右一対の後部脚杆１２４と、上記のキャスター２１と、を備えている。キャスター２１は、本実施形態では４つ設けられ、左右一対の前部脚杆１２３及び後部脚杆１２４のそれぞれ先端に、互いに前後方向Ｙ及び左右方向Ｘに異なる位置となるようにして設けられている。
また、前部脚杆１２３、後部脚杆１２４は、上記のとおりそれぞれ左右に対をなすように設けられており、以下においては右側の脚杆をそれぞれ右側前部脚杆１２３Ｒ、右側後部脚杆１２４Ｒと、左側の脚杆をそれぞれ左側前部脚杆１２３Ｌ、左側後部脚杆１２４Ｌと称する。
【００３４】
（前部脚杆１２３の構成）
右側前部脚杆１２３Ｒ、左側前部脚杆１２３Ｌは、支持基体３１の下方からそれぞれ右前方、左前方に張り出すようにして、支持基体３１に取り付けられている。また、右側前部脚杆１２３Ｒ及び左側前部脚杆１２３Ｌは、平面視して、支持基体３１の中心を通り、前後方向Ｙに沿う直線を対称線として左右対称に配されている。そして、右側前部脚杆１２３Ｒ、左側前部脚杆１２３Ｌの先端は、平面視して、天板４の前部よりわずかに内側の位置まで延びている。また、右側前部脚杆１２３Ｒ、支持基体３１及び左側前部脚杆１２３Ｌの外周面は、平面視して滑らかな凹曲面状に連続している。
【００３５】
（後部脚杆１２４の構成）
右側後部脚杆１２４Ｒ、左側後部脚杆１２４Ｌは、支持基体３１の下方からそれぞれ右後方、左後方に張り出すようにして、支持基体３１に取り付けられている。右側後部脚杆１２４Ｒ及び左側後部脚杆１２４Ｌは、平面視して、支持基体３１の中心を通り、前後方向Ｙに沿う直線を対称線として左右対称に配されている。そして、右側後部脚杆１２４Ｒ、左側後部脚杆１２４Ｌの先端は、平面視して、天板４の後部よりさらに後方の位置まで延びている。そして、右側後部脚杆１２４Ｒ、支持基体３１及び左側後部脚杆１２４Ｌの外周面は、平面視して、略Ｖ字で、かつ、滑らかな凹曲面状に連続している。
【００３６】
（キャスター２１の構成）
図４に示すように、キャスター２１は、縦断面が円形の車輪２１ａと、車輪２１ａを床面Ｆと平行な中心軸Ｐ回りに回転可能に支持する車輪支持部２１ｂと、車輪支持部２１ｂを上下方向に沿う中心軸Ｑ回りに回転可能に支持するとともに、ベース部２に取り付けられた取付部２１ｃと、を有する。このため、取付部２１ｃに対して車輪支持部２１ｂ及び車輪２１ａの向きを左右方向Ｘ及び前後方向Ｙに自在に調整可能であり、これにより、カート装置１は床面Ｆ上を自由自在に走行することができる。また、平面視して、取付部２１ｃに対する車輪支持部２１ｂの中心軸Ｑは、車輪２１ａの中心位置に対して偏心して設けられている。
また、キャスター２１は、車輪２１ａの中心位置が中心軸Ｑよりも前方側にある第一の位置Ａ１と車輪の中心位置が中心軸Ｑよりも後方側になる第二の位置Ａ２との間で両側に１８０°回転可能である。
【００３７】
（最前方キャスター１２１の構成）
図３に示すように、キャスター２１のうち最前方に位置する最前方キャスター１２１は、平面視して天板４の最前端より後方の位置で、右側前部脚杆１２３Ｒ及び左側前部脚杆１２３Ｌに固定されている。また、最前方キャスター１２１の取付部２１ｃは、平面視してベース部２の取付位置より前方に配設されている。
また、最前方キャスター１２１を第二の位置Ａ２に配した場合、平面視して最前方キャスター１２１の最前端を天板４の最前端より後方に配設させることが可能となる。
また、最前方キャスター１２１を第一の位置Ａ１又は第二の位置Ａ２に配した場合、平面視して最前方キャスター１２１を天板４の左右方向Ｘ内側に配設させることが可能となる。
【００３８】
（最後方キャスター１２２の構成）
キャスター２１のうち最後方に位置する最後方キャスター１２２は、平面視して天板４の最後端より後方の位置で、右側後部脚杆１２４Ｒ及び左側後部脚杆１２４Ｌに固定されている。また、図４に示すように、平面視して把持部５２の略直下に最後方キャスター１２２の取付部２１ｃが配設されている。
また、最後方キャスター１２２を第一の位置Ａ１又は第二の位置Ａ２に配した場合、平面視して最後方キャスター１２２を天板４の左右方向Ｘ内側に配設させることが可能となる。
【００３９】
支持部３のベース部２取付位置は、平面視して最前方キャスター１２１と最後方キャスター１２２との前後方向Ｙの中間となる位置より前方に配設されている。
【００４０】
このように構成されたカート装置１では、平面視して天板４の後方に設けられた操作ハンドル部５に執務者の操作力が加わると、操作ハンドル部５から天板４、支持部３、前部脚杆１２３及び後部脚杆１２４へと荷重が伝達され、最前方キャスター１２１及び最後方キャスター１２２が荷重を負担することとなる。
ここで、最前方キャスター１２１は、平面視して支持部３のベース部２の取付位置より前方に配設されているので、操作力による荷重を最前方キャスター１２１及び最後方キャスター１２２にて前後方向に負担することができ、カート装置１の安定性を向上させることができる。
さらに、最前方キャスター１２１は平面視して天板４の最前端より後方の位置で、最後方キャスター１２２は平面視して天板４の最後端より後方の位置で、それぞれ右側前部脚杆１２３Ｒ、左側前部脚杆１２３Ｌ、右側後部脚杆１２４Ｒ、左側後部脚杆１２４Ｌの先端部分に固定されている。よって、最前方キャスター１２１が天板４の最前端の直下若しくは前方に設けられている場合、又は最後方キャスター１２２が天板４の最後端の直下若しくは前方に設けられている場合よりも、最前方キャスター１２１及び最後方キャスター１２２が確実に荷重を負担できるので、カート装置１の安定性を向上させ、転倒の恐れがない。
【００４１】
また、最後方キャスター１２２が、平面視して操作ハンドル部５の直下に配設されているので、最後方キャスター１２２が操作ハンドル部５の直下より前方に配設されている場合よりも、操作力により荷重を確実に負担することができ、カート装置１の安定性を向上させ、転倒の恐れがない。特に、操作ハンドル部５に下向きの荷重が加わったとしても、操作ハンドル部５の直下にある最後方キャスター１２２によって、確実に転倒を防止できる。
【００４２】
また、支持部３のベース部２の取付位置は、平面視して最前方キャスター１２１と最後方キャスター１２２との前後方向Ｙの中間となる位置より前方に配設されているので、操作力による荷重を最前方キャスター１２１及び最後方キャスター１２２にて安定的に支持することができる。特に、操作ハンドル部５に下向きの荷重が加わったとしても、支持部３のベース部２取付位置がより後方に配設されている場合よりも、確実に荷重を負担することができ、転倒を防止できる。
さらに、カート装置１の後方にて執務をする執務者にとっても、支持部３の取付位置がより後方に配設されている場合よりも、下肢空間を大きく確保することができるので、執務者の使い勝手を良好にすることができる。
【００４３】
また、平面視して最前方キャスター１２１の最前端を天板４の最前端より後方に配設させることが可能である。よって、天板４の前方を壁に当接してカート装置１を設置する場合に、壁と天板４との間に間隙を有することなく設置することができるので、壁に対してカート装置１をコンパクトに配置することができる。
さらに、平面視してキャスター２１を天板４の左右方向Ｘ内側に配設させることが可能である。よって、カート装置１を横並びにして複数台設置する場合に、隣接するカート装置１との間に間隙を有することなく設置することができるので、複数台のカート装置１をコンパクトに配置することができる。
【００４４】
また、天板４、右側第二支持部１３２Ｒ、左側第二支持部１３２Ｌ、右側第三支持部１３３Ｒ、左側第三支持部１３３Ｌ、右側第一支持部１３１Ｒ、及び左側第一支持部１３１Ｌとに囲まれるようにして、前方、左方及び右方に連続して開口する前部空間９が形成されている。よって、図４に示すように、カート装置１の前部空間９にテーブル什器Ｔの天板Ｂを挿入させて、カート装置１とテーブル什器Ｔを配設することできるので、カート装置１及びテーブル什器Ｔの設置面積を最小限にすることが可能となる。
さらに、天板支持部３２は、支持基体３１の上端より水平方向に対して緩やかな傾斜角度で後方に向かうに従って上方に向かうように傾斜して配されている第一支持部１３１に加えて、第一支持部１３１の上端から折れ曲がるようにして立設され、その上端に第二支持部１３２が取り付けられた第三支持部１３３を有している。よって、前部空間９の奥行き及び高さを大きく確保することができるので、前部空間９にテーブル什器Ｔの天板Ｂを奥行き深く挿入させることができ、カート装置１及びテーブル什器Ｔの設置面積をより一層と小さくすることが可能となる。
【００４５】
また、右側前部脚杆１２３Ｒ、支持基体３１及び左側前部脚杆１２３Ｌの外周面は、平面視して滑らかな凹曲面状に連続している。ここで、図７及び図８に示すように、カート装置１とテーブル什器Ｔを配設する場合に、テーブル什器Ｔの床に面する台座部の外周面が平面視して円弧状でも、カート装置１の外周面が滑らかな凹面形状なので、テーブル什器Ｔの台座部に対応する形状となる。よって、カート装置１の最前方キャスター１２１、右側前部脚杆１２３Ｒ、及び左側前部脚杆１２３Ｌをテーブル什器Ｔの台座部と干渉させることなく配設することができる。
【００４６】
右側後部脚杆１２４Ｒ及び左側後部脚杆１２４Ｌは、平面視して、支持基体３１の中心を通り、前後方向Ｙに沿う直線を対称線として左右対称に配されている。また、右側後部脚杆１２４Ｒ、左側後部脚杆１２４Ｌの先端は、平面視して、天板４の後部よりさらに後方の位置まで延びている。ここで、右側後部脚杆１２４Ｒ、支持基体３１及び左側後部脚杆１２４Ｌの外周面は、平面視して、略Ｖ字で、かつ、滑らかな凹曲面状に連続している。よって、カート装置１の後方にて執務をする執務者にとっても、足先の収容空間を大きく確保することができるので、執務者の使い勝手を良好にすることができる。
【００４７】
なお、上述した実施の形態において示した動作手順、あるいは各構成部材の諸形状や組み合わせ等は一例であって、本発明の主旨から逸脱しない範囲において設計要求等に基づき種々変更可能である。
【符号の説明】
【００４８】
１…カート装置
２…ベース部
３…支持部
４…天板
５…操作ハンドル部
９…前部空間
２１…キャスター
３１…支持基体
３２…天板支持部
１２１…最前方キャスター
１２２…最後方キャスター
１２３…前部脚杆
１２４…後部脚杆
１３１…第一支持部
１３２…第二支持部
Ｆ…床面
【図１】
2013017700.tif 000003
【図２】
2013017700.tif 000004
【図３】
2013017700.tif 000005
【図４】
2013017700.tif 000006
【図５】
2013017700.tif 000007
【図６】
2013017700.tif 000008
【図７】
2013017700.tif 000009
【図８】
2013017700.tif 000010